(57)【要約】【課題】容易に好ましい画像形成動作の設定を得ることができる設定判別装置、画像形成装置及び画像形成動作設定方法を提供する。【解決手段】設定判別装置は、メディアの物性を計測する計測部と、制御部とを備える。制御部は、計測部による計測結果に基づいて、坪量及びメディアの種別の組み合わせを特定し、特定された組み合わせを画像形成の動作設定に係るメディアの設定候補として出力する。【選択図】図３
2020097170.tif 000002
【特許請求の範囲】
【請求項１】
メディアの物性を計測する計測部と、
制御部と、
を備え、
前記制御部は、前記計測部による計測結果に基づいて、坪量及び前記メディアの種別の組み合わせを特定し、当該組み合わせを画像形成の動作設定に係るメディアの設定候補として出力する
ことを特徴とする設定判別装置。
【請求項２】
前記制御部は、前記メディアの種別として、少なくとも塗工紙及び非塗工紙に分類することを特徴とする請求項１記載の設定判別装置。
【請求項３】
前記制御部は、前記計測結果と、異なる動作設定にそれぞれ応じた前記坪量及び前記メディアの種別との適合の度合を算出し、算出された前記度合が所定の基準を満たす前記組み合わせを前記設定候補として出力することを特徴とする請求項１又は２記載の設定判別装置。
【請求項４】
前記制御部は、前記度合が高い順に前記設定候補として出力することを特徴とする請求項３記載の設定判別装置。
【請求項５】
前記制御部は、前記設定候補として塗工紙及び非塗工紙のいずれもが出力される場合に、塗工紙を優先した順番で出力することを特徴とする請求項１〜４のいずれか一項に記載の設定判別装置。
【請求項６】
前記計測部は、前記メディアの表面の平滑度、密度、透気度、摩擦係数、白色度、剛度及び電気抵抗のうち少なくとも２つを計測することを特徴とする請求項１〜５のいずれか一項に記載の設定判別装置。
【請求項７】
表示部を備え、
前記制御部は、前記表示部に対して前記設定候補を出力して表示させることを特徴とする請求項１〜６のいずれか一項に記載の設定判別装置。
【請求項８】
操作受付部を備え、
前記制御部は、前記表示部に表示された前記設定候補のうちいずれかを選択する入力操作を前記操作受付部により受け付けて、選択された前記設定候補に係る前記動作設定を行うことを特徴とする請求項７記載の設定判別装置。
【請求項９】
前記制御部は、前記計測部の計測結果が所定の条件を満たす場合には、当該条件に対応する特定のメディアを前記設定候補として出力することを特徴とする請求項１〜８のいずれか一項に記載の設定判別装置。
【請求項１０】
メディアの銘柄名と、当該銘柄名に係るメディアの坪量及び種別の情報とを対応付けて記憶する記憶部を備え、
前記制御部は、特定された前記組み合わせに対応する前記銘柄名を前記設定候補として出力可能であることを特徴とする請求項１〜９のいずれか一項に記載の設定判別装置。
【請求項１１】
前記制御部は、前記計測結果に基づいて特定された前記坪量及び前記メディアの種別と、前記設定候補とされる前記銘柄名のメディアの坪量及び前記メディアの種別との適合の度合を算出し、当該度合の高い順に前記銘柄名を出力することを特徴とする請求項１０記載の設定判別装置。
【請求項１２】
操作受付部を備え、
前記制御部は、前記操作受付部により受け付けられた要求に応じて、前記設定候補の表示を前記組み合わせの表示と前記銘柄名の表示との間で切り替えることを特徴とする請求項１０又は１１記載の設定判別装置。
【請求項１３】
請求項１〜１２のいずれか一項に記載の設定判別装置と、
メディアに対して画像形成を行う画像形成動作部と、
を備えることを特徴とする画像形成装置。
【請求項１４】
メディアの物性を計測する計測部を備える設定判別装置の画像形成動作設定方法であって、
前記計測部による計測結果に基づいて、坪量及び前記メディアの種別の組み合わせを特定する特定ステップと、
特定された当該組み合わせを画像形成の動作設定に係るメディアの設定候補として出力する候補出力ステップと、
を含むことを特徴とする画像形成動作設定方法。
【発明の詳細な説明】
【技術分野】
【０００１】
この発明は、設定判別装置、画像形成装置及び画像形成動作設定方法に関する。
【背景技術】
【０００２】
従来、メディア（記録媒体）に対して色材を付与して画像を形成する画像形成装置がある。色材としては、トナーやインクなどが広く用いられている。メディアとしては、紙媒体が含まれる。紙媒体にも、普通紙や上質紙を始めとして、種々の物性を有するものが存在し、形成画像の用途に応じて適宜選択されて用いられている。
【０００３】
このような種々のメディアに対して画像を形成する場合、メディアの物性に応じて色材の量などの種々のパラメーターを調整することで、形成画像が最適化される。特許文献１には、予め登録されたメディアの銘柄名と取得された坪量とに基づいて適切なメディアを選択する技術が開示されている。また、特許文献２には、メディアを解析した結果得られる特性に合致するメディアを、データベースに特性が予め登録された商品から候補として取得する技術が開示されている。
【先行技術文献】
【特許文献】
【０００４】
【特許文献１】特開２０１４−８１４３９号公報
【特許文献２】特開２０１５−１７６３９９号公報
【発明の概要】
【発明が解決しようとする課題】
【０００５】
しかしながら、新製品や改良品などを含む多数の商品銘柄から正確な銘柄のメディアを検出して画像形成動作の設定を行うのは手間がかかるという課題がある。
【０００６】
この発明の目的は、容易に好ましい画像形成動作の設定を得ることができる設定判別装置、画像形成装置及び画像形成動作設定方法を提供することにある。
【課題を解決するための手段】
【０００７】
上記目的を達成するため、請求項１記載の発明は、
メディアの物性を計測する計測部と、
制御部と、
を備え、
前記制御部は、前記計測部による計測結果に基づいて、坪量及び前記メディアの種別の組み合わせを特定し、当該組み合わせを画像形成の動作設定に係るメディアの設定候補として出力する
ことを特徴とする設定判別装置である。
【０００８】
また、請求項２記載の発明は、請求項１記載の設定判別装置において、
前記制御部は、前記メディアの種別として、少なくとも塗工紙及び非塗工紙に分類することを特徴とする。
【０００９】
また、請求項３記載の発明は、請求項１又は２記載の設定判別装置において、
前記制御部は、前記計測結果と、異なる動作設定にそれぞれ応じた前記坪量及び前記メディアの種別との適合の度合を算出し、算出された前記度合が所定の基準を満たす前記組み合わせを前記設定候補として出力することを特徴とする。
【００１０】
また、請求項４記載の発明は、請求項３記載の設定判別装置において、
前記制御部は、前記度合が高い順に前記設定候補として出力することを特徴とする。
【００１１】
また、請求項５記載の発明は、請求項１〜４のいずれか一項に記載の設定判別装置において、
前記制御部は、前記設定候補として塗工紙及び非塗工紙のいずれもが出力される場合に、塗工紙を優先した順番で出力することを特徴とする。
【００１２】
また、請求項６記載の発明は、請求項１〜５のいずれか一項に記載の設定判別装置において、
前記計測部は、前記メディアの表面の平滑度、密度、透気度、摩擦係数、白色度、剛度及び電気抵抗のうち少なくとも２つを計測することを特徴とする。
【００１３】
また、請求項７記載の発明は、請求項１〜６のいずれか一項に記載の設定判別装置において、
表示部を備え、
前記制御部は、前記表示部に対して前記設定候補を出力して表示させることを特徴とする。
【００１４】
また、請求項８記載の発明は、請求項７記載の設定判別装置において、
操作受付部を備え、
前記制御部は、前記表示部に表示された前記設定候補のうちいずれかを選択する入力操作を前記操作受付部により受け付けて、選択された前記設定候補に係る前記動作設定を行うことを特徴とする。
【００１５】
また、請求項９記載の発明は、請求項１〜８のいずれか一項に記載の設定判別装置において、
前記制御部は、前記計測部の計測結果が所定の条件を満たす場合には、当該条件に対応する特定のメディアを前記設定候補として出力することを特徴とする。
【００１６】
また、請求項１０記載の発明は、請求項１〜９のいずれか一項に記載の設定判別装置において、
メディアの銘柄名と、当該銘柄名に係るメディアの坪量及び種別の情報とを対応付けて記憶する記憶部を備え、
前記制御部は、特定された前記組み合わせに対応する前記銘柄名を前記設定候補として出力可能であることを特徴とする。
【００１７】
また、請求項１１記載の発明は、請求項１０記載の設定判別装置において、
前記制御部は、前記計測結果に基づいて特定された前記坪量及び前記メディアの種別と、前記設定候補とされる前記銘柄名のメディアの坪量及び前記メディアの種別との適合の度合を算出し、当該度合の高い順に前記銘柄名を出力することを特徴とする。
【００１８】
また、請求項１２記載の発明は、請求項１０又は１１記載の設定判別装置において、
操作受付部を備え、
前記制御部は、前記操作受付部により受け付けられた要求に応じて、前記設定候補の表示を前記組み合わせの表示と前記銘柄名の表示との間で切り替えることを特徴とする。
【００１９】
また、請求項１３記載の発明は、
請求項１〜１２のいずれか一項に記載の設定判別装置と、
メディアに対して画像形成を行う画像形成動作部と、
を備えることを特徴とする画像形成装置である。
【００２０】
また、請求項１４記載の発明は、
メディアの物性を計測する計測部を備える設定判別装置の画像形成動作設定方法であって、
前記計測部による計測結果に基づいて、坪量及び前記メディアの種別の組み合わせを特定する特定ステップと、
特定された当該組み合わせを画像形成の動作設定に係るメディアの設定候補として出力する候補出力ステップと、
を含むことを特徴とする画像形成動作設定方法である。
【発明の効果】
【００２１】
本発明に従うと、容易に画像形成装置における好ましい画像形成動作の設定を得ることができるという効果がある。
【図面の簡単な説明】
【００２２】
【図１】本実施形態の画像形成装置の全体構成を示す概略図である。
【図２】画像形成装置の機能構成を示すブロック図である。
【図３】画像形成装置における制御パラメーターの設定方法について説明する図である。
【図４】表示部に表示されるメディアの選択画面の例を示す図である。
【図５】メディア設定処理の制御手順を示すフローチャートである。
【図６】表示部に表示されるメディアの選択画面の他の例を示す図である。
【図７】図６に示した変形例の選択画面に応じたメディア選択処理の制御手順を示すフローチャートである。
【発明を実施するための形態】
【００２３】
以下、本発明の実施の形態を図面に基づいて説明する。
図１は、本実施形態の画像形成装置１（設定判別装置としても動作する）の全体構成を示す概略図である。
【００２４】
画像形成装置１は、メディアＭに色材を付与して画像を形成するものであり、例えば、電子写真方式でメディアＭにトナーを付着、定着させる画像形成装置である。画像形成装置１は、メディア供給部１１と、メディア検出部１２と、物性計測部１３（計測部）と、画像形成動作部１４と、制御部１５（図２参照）と、搬送部１６と、排出トレイ１８などを備える。
【００２５】
メディア供給部１１は、トレイなどを有して画像形成対象とされるメディアＭ（記録媒体）を保持し、制御部１５の制御に応じて適宜なタイミングでメディアＭを搬送ルートＲに送り出す。トレイは、複数設けられて、動作設定により指定されたトレイから選択的にメディアＭが供給される構成であってよい。搬送部１６がこの搬送ルートＲに沿ってメディアＭを設定速度で移動させる。搬送部１６は、メディアＭを挟持して進めるローラーや、このローラーを回転動作させる回転モーターなどを有する。また、搬送部１６は、一方の面に画像が形成されたメディアＭの表裏を反転させて再度画像形成させるための反転部を有する。
【００２６】
メディア検出部１２は、搬送部１６による搬送ルートＲ上を移動するメディアＭを所定位置、ここでは、画像形成動作部１４による画像形成位置の所定距離手前の位置で検知する。メディア検出部１２としては、例えば、メディアＭにより光が遮られることでメディアＭの有無を検知したり、あるいは、メディアＭの有無による反射光の検出強度の変化に応じてメディアＭの当該所定位置への到達を検知したりする光センサー（フォトダイオードなど）などが用いられる。このメディアＭの先頭がメディア検出部１２により検出されたタイミングと搬送部１６による搬送速度とに基づいて、画像形成動作部１４による画像形成タイミングが制御されて、メディアＭ上の適切な位置に画像が形成される。
【００２７】
物性計測部１３は、メディアＭの物性に係る物理量を計測する。計測対象の取得可能な物性としては、少なくとも坪量が含まれる。
【００２８】
物性計測部１３による計測動作は、例えば、メディアＭの移動を所定距離ごとに一時停止させながらメディアＭの複数個所で行われ、得られた複数の値の平均など、演算処理された結果が最終的に物性値として用いられる。
【００２９】
物性計測部１３は、画像形成装置１が内蔵しているものに限られず、必要に応じて外部に取り付け配置及び動作可能なものであってもよい。この場合、画像形成装置１には、物性計測部１３への電力供給及び信号の送受信に係る配線の接続部が設けられていてもよい。
【００３０】
画像形成動作部１４は、トナーやインクなどの色材をメディアＭに付着、定着させることで、当該メディアＭに対して画像を形成する画像形成エンジン（プリントエンジン）を有する。画像形成動作部１４は、特には限られないが、例えば、電子写真方式によりＣＭＹＫ４色などのトナー像を感光体上に形成（現像）し、これをメディアＭに、ここでは、転写体を介して転写してカラー画像の画像形成を行う。
【００３１】
メディア供給部１１から送出されて、搬送ルートＲを移動したメディアＭは、排出トレイ１８に排出される。また、排出トレイ１８の前に、乾燥、裁断やソートなどの各種後処理を行う後処理装置などが接続されていてもよい。
【００３２】
図２は、本実施形態の画像形成装置１の機能構成を示すブロック図である。
画像形成装置１は、上述のメディア検出部１２、物性計測部１３及び画像形成動作部１４に加えて、制御部１５と、搬送駆動部１６ａと、記憶部１７と、通信部４１と、操作受付部４２と、表示部４３などを備える。
【００３３】
物性計測部１３は、ここでは、坪量検知部１３ａと、紙厚検知部１３ｂと、表面検知部１３ｃとを有し、坪量のほか、紙厚及び表面の平滑性（平滑度）の検知を行う。紙厚検知部１３ｂは、例えば、メディアＭの厚さに応じて当該厚さ方向に移動可能な２つのローラーの軸間間隔を検出する変位ローラーにより計測される。また、表面検知部１３ｃは、例えば、照射された光（例えば、赤外光と所定の波長の可視光とを混合したもの）の正反射光と散乱反射光の強度及び／又はその強度比率を出力する反射センサーを用いて、当該強度比率に基づいて表面の平滑度を求める。
【００３４】
坪量検知部１３ａは、特には限られないが、例えば、密度、透気度、摩擦係数、白色度、剛度や電気抵抗などの物性値のうち一部又は全部の計測が可能であってもよい。また、坪量の検知には、直接メディアの重量を計測する重量センサーの結果が用いられてもよい。透気度は、一方の面から所定の圧力で空気を吸引した場合の空気の吸引速度などが用いられ得る。また、電気抵抗は、表裏間で所定の電圧を印加した場合に流れる電流の大きさと紙厚とに基づいて得られる。坪量検知部１３ａ、紙厚検知部１３ｂ及び表面検知部１３ｃは、機能的な分類であり、計測される物理量が一部で重複していてもよく、その場合には、同一の計測器で計測された結果が用いられてよい。上記により、物性計測部１３では、少なくとも２、３種類の物理量の計測が行われ得る。
【００３５】
制御部１５は、画像形成装置１の各種動作を統括制御する。制御部１５は、ＣＰＵ（Central Processing Unit）及びＲＡＭ（Random Access Memory）などを備える。制御部１５は、記憶部１７に格納された制御プログラムを読み出してＣＰＵが実行することで、画像形成動作部１４による画像形成動作やそのキャリブレーション及び設定などの制御を行う。また、制御部１５は、後述のように、記録設定処理を実行することで、画像を形成する対象のメディアＭの種別の候補を抽出、特定し、当該特定の結果に基づいて画像形成動作に係る設定を行う。
【００３６】
搬送駆動部１６ａは、制御部１５の制御に基づいて搬送部１６のモーターの回転動作や、メディア供給部１１における供給動作を行わせる駆動信号を出力し、メディアＭの搬送動作の有無や搬送速度の調整などを行う。
【００３７】
記憶部１７は、制御部１５が実行するプログラム１７１、当該プログラムなどで利用される設定データや画像形成動作部１４により形成される対象の画像に係る画像データなどを記憶する。記憶部１７には、例えば、ＨＤＤ（Hard Disk Drive）やフラッシュメモリーなどの不揮発性の記憶媒体が用いられる。また、記憶部１７は、ＲＡＭを備え、当該ＲＡＭは、一部のデータを一時的に記憶、処理するのに用いられてもよい。
【００３８】
記憶部１７には、設定データとして、メディア種別情報１７２及び画像形成設定情報１７３が記憶されている。
【００３９】
メディア種別情報１７２は、予め画像形成の対象とされ得るメディアの種別をその特性情報と関連付けたリストを含む。対象とされるメディア種別としては、例えば、普通紙、上質紙、グロス紙、マット紙、光沢紙などが挙げられる。これらは、グロス紙及びマット紙などの塗工紙、並びに普通紙及び上質紙などの非塗工紙、というような、制御パラメーターの大きく異なる範囲でまとめたより簡易な分類であってもよい。関連付けられる特性情報は、物性計測部１３による計測対象の各パラメーターの一部又は全部である。
【００４０】
また、メディア種別情報１７２に記憶されるメディアには、各種の樹脂フィルム、ストーンペーパーや、複数種類の材質が積層された媒体などが含まれていてもよい。これらの媒体は、通常の紙媒体などと比較して特性が大きく異なる。これらの媒体は、例外設定メディア（特定メディア）として予め定められ、対応する特性（物性値）の範囲が各々関連付けられて設定されている。
【００４１】
画像形成設定情報１７３には、上述のメディア種別と坪量との組み合わせが複数設定されて、当該組み合わせの各々に対して画像形成に係る動作設定データ（制御パラメーター）が対応付けられて保持されている。動作設定データには、例えば、駆動電圧（又は基準となる駆動電圧の値からのずれ量）や定着温度（又は基準となる定着温度からのずれ量）などが含まれ得る。各組み合わせにおける坪量は、ここでは所定の幅ずつ区分された範囲で示されるが、代表値であってもよい。画像形成動作部１４は、選択設定されたメディア種別と坪量の組み合わせに応じて取得された制御パラメーターに基づいて、画像形成に係る動作を行う。また、画像形成に係る動作設定データ（制御パラメーター）には、画像形成動作部１４の動作だけではなく、メディア供給部１１及び後処理装置の動作に係る動作設定パラメーターが含まれていてよい。メディアＭの厚さ、硬さ及び／又は表面の平滑度などに応じてメディアＭの送出、ソート、折り曲げ、裁断及びステイプルなどの各種処理における加圧の度合や制限など、各種動作の設定がなされてよい。
【００４２】
通信部４１は、所定の通信規格に基づいて外部の通信機器との間で行う通信の制御を行う。通信規格としては、例えば、ＬＡＮ（Local Area Network）を介したＴＣＰ／ＩＰ（Transmission Control Protocol / Internet Protocol）による通信などが用いられ、通信部４１は、ＬＡＮによる通信制御を行うためのネットワークカードなどを備える。
【００４３】
操作受付部４２は、ユーザーなど外部からの入力操作を受け付けて、受付内容を入力信号として制御部１５に出力する。操作受付部４２は、例えば、表示部４３の表示画面と重ねて設けられたタッチパネルや、押しボタンスイッチなどを有する。入力信号には、押しボタンスイッチの押下操作、タッチパネルへの接触動作や接触位置の情報が含まれる。
【００４４】
表示部４３は、制御部１５の制御に基づいて表示画面に表示を行わせる。表示内容には、画像形成動作に係るステータスや、ユーザーからの入力操作を受け付けるための設定メニューなどが含まれる。表示画面としては、特には限られないが、例えば、液晶ディスプレイ（ＬＣＤ）や有機ＥＬ（Electro Luminescent）ディスプレイなどが挙げられる。また、表示部４３は、ＬＥＤランプなどを有し、電力供給状態やエラー状態の報知を行ってもよい。
本実施形態の設定判別装置は、上記各構成のうち、物性計測部１３及び制御部１５により構成される。また、設定判別装置は、記憶部１７、操作受付部４２及び表示部４３を有していてもよい。
【００４５】
次に、本実施形態の画像形成装置１における画像形成に係る設定動作について説明する。
【００４６】
画像形成装置１で画像を形成する場合、形成される対象のメディアの種別及びその特性ごとに色材のメディアへの浸透、定着の度合や広がり（にじみ）の度合などが異なる。これにより、同一の動作設定で画像が形成されると、形成画像の画質が異なったり、劣化したりする。したがって、同一の画像データに基づく画像を形成する場合であっても、適正な色材の付与量及び定着温度など、種々の条件を変更する必要がある。画像データに基づく最適な画像を形成するために、画像形成装置１では、メディアＭの種別及び特性ごとに画像処理や画像形成動作の制御パラメーターが好ましい値に変更される。
【００４７】
特性を示す物性値としては、上述のように種々のものがあるが、ここでは、画像形成に影響する代表的なパラメーターとして、少なくとも坪量が用いられる。例えば、坪量の大小は、転写時の電気抵抗や定着動作時の熱容量に大きく影響する。ここでは、所定の幅ごとに坪量を区分設定する。上述のように物性計測部１３の計測結果に基づいて得られた坪量が属する区分やその前後の区分などが選択され得る。
【００４８】
画像形成装置１では、これに加えて、メディアの種別、すなわち、メディア表面の処理、材質及び厚さなどの種々の特性に応じた色材の浸透性や拡散性などに影響するパラメーターを考慮することで、現在画像形成に主に利用されているメディアの多く（電子写真方式により画像を形成する画像形成動作部１４が用いられている本実施形態では、主に紙媒体）に対して、十分な画質の形成画像を得ることのできる制御パラメーターが設定され得る。メディアの種別としては、上述のメディア種別情報１７２に設定されているものが用いられ、少なくとも紙媒体を塗工紙と非塗工紙との間で分類する。塗工の有無は、色材の定着などの特性に大きく影響する。なお、物性計測部１３の計測結果から塗工紙と非塗工紙を分類できずにいずれもがメディアの候補として出力される可能性は低いが、この場合には、実際と異なる設定がなされた場合における画質の低下の度合などを考慮して、塗工紙の設定候補を優先して出力する。
【００４９】
図３は、本実施形態の画像形成装置１における制御パラメーターの設定方法について説明する図である。画像形成装置１では、物性計測部１３の計測結果が取得される。坪量検知部１３ａによる計測結果に基づいて坪量が求められ（Ｐ１）、紙厚検知部１３ｂによる計測結果に基づいて紙厚が求められ（Ｐ２）、また、表面検知部１３ｃによる計測結果に基づいて平滑度が求められる（Ｐ３）。
【００５０】
これらに基づいて、まず、予め上述の例外設定メディアの特性の範囲として定められている各値の組み合わせの条件（所定の条件）を満たすか否かが判別される（Ｐ４）。例外設定メディアの条件を満たす場合には、メディア種別情報１７２に保持されている銘柄物性情報に基づいて当該例外設定メディアが設定候補として特定されて（Ｐ８）、候補表示（Ｐ９）に送られる（出力される）。送り先は、ここでは、表示部４３である。すなわち、例外設定メディアの場合には、以下の通常の設定候補の特定及び表示が自動的に無効化される。
【００５１】
例外設定メディアの条件を満たさない場合には、求められた坪量との適合の度合が所定の基準を満たす坪量区分を特定する（Ｐ６）。適合の度合は、単純に基準となる値との差分に基づいて定められた数値であってもよいし、坪量を求めるのに用いられた各計測値の組み合わせ（バランス）などによって変化する値であってもよい。また、坪量と紙厚とに基づいて、密度を算出し（Ｐ５）、当該密度と平滑度とに基づいて、予め設定されているメディア種別の区分のいずれと適合の度合が所定の基準を満たすかを特定する（Ｐ７）。メディア種別の区分に係る適合の度合についても、当該メディア種別の特定に用いられた各計測値の基準値からのずれやそのバランスなどに基づいて数値化されればよい。基準を満たした（特定された）坪量区分とメディア種別の区分の組み合わせが画像形成の動作設定に係るメディアの設定候補として候補表示（Ｐ９）に送られ（出力され）、当該設定候補が表示部４３の表示画面に表示される。設定候補は、一つに限られず、例えば、区分の境界付近などでは両側、すなわち、複数が選択されてよい。
【００５２】
候補表示では、求められている２つの適合の度合を総合的に評価した値、例えば、加算値が大きいものから順に（すなわち適合の度合が高い順）優先度が高い候補として出力、ここでは表示部４３に表示される。出力される候補は一種類だけであってもよいし、適合の度合が基準を満たすものが複数有る場合には、複数種類であってもよい。最終的な選択、承認は、ユーザーにより、ここでは、操作受付部４２への入力操作により行われ（Ｐ１０）、選択結果に応じた設定候補に係る動作設定が行われる。ここでは、いずれの設定候補が選択されても予め定められた基準を満たす画質が得られる。したがって、ユーザーは、単純に最も優先度が高いものを選択してもよいし、ユーザーの好みやユーザーが部分的に保持しているメディアの情報などに基づいて選択してもよい。なお、一度選択された動作設定には、適宜な名前が付されて記憶部１７に記憶され、次回以降直接呼び出して利用されることが可能とされてもよい。
【００５３】
図４は、表示部４３に表示されるメディアの選択画面の例を示す図である。ここでは、メディアとして通常では紙媒体（用紙）が選択される場合の表示例が示されている。
【００５４】
図４（ａ）に示すように、動作選択ボタン表示画面Ｂ３の用紙種類検出ボタンを選択する操作（クリック又はタッチ操作など）が行われると、予めセットされているメディアに対して物性計測部１３が物性計測を行い、当該物性計測の結果に応じて特定された候補が用紙種類候補表示画面Ｂ１に表示される。ここでは、２種類の候補が特定されて、適合の度合の大きい順に、それぞれ用紙種類と坪量区分とが選択可能に表示される。ここでは坪量区分は、［ｇ／ｍ２］を単位として表示されているが、単位切替ボタンの選択操作により、他の単位に切り替えが可能である。候補のいずれかの行を選択する操作が受け付けられることで、当該選択された行（ここでは上の行）がハイライト表示される。
【００５５】
左側の用紙トレイ選択画面Ｂ２は、選択される用紙に応じた画像形成の動作設定がいずれのトレイのメディアに対してなされるかを定める。ここでは、選択操作によりトレイ１が選択されてハイライト表示されている。
【００５６】
動作選択ボタン表示画面Ｂ３の「ＯＫ」ボタンの選択操作がなされることで、選択されている用紙種類と、当該用紙種類に係る画像形成設定が適用されるトレイとが決定される。
【００５７】
また、上述のように、多くの場合に用いられる用紙設定とは大きく異なる例外設定メディアとして予め定められているものに対応する計測結果が得られた場合には、当該計測結果に応じた用紙種類が直接用紙種類候補として表示される。ここでは、図４（ｂ）に示すように、特定のＰＥＴ樹脂シートが唯一の候補として表示されている。
【００５８】
図５は、メディア設定処理の制御部１５による制御手順を示すフローチャートである。
メディア設定処理が開始されると、制御部１５は、物性計測部１３に対してセットされているメディアの物性計測を要求する（ステップＳ１０１）。制御部１５は、物性の計測結果を物性計測部１３から取得する（ステップＳ１０２）。
【００５９】
制御部１５は、記憶部１７に記憶されている例外設定を参照し、計測結果が予め設定されている例外設定メディアの物性範囲内であるか否かを判別する（ステップＳ１０３）。例外設定メディアの物性範囲内のいずれかであると判別された場合には（ステップＳ１０３で“ＹＥＳ”）、制御部１５は、該当する例外設定メディアを選択する（ステップＳ１１１）。それから、制御部１５の処理は、ステップＳ１０７に移行する。
【００６０】
例外設定メディアの物性範囲のいずれにも当てはまらないと判別された場合には（ステップＳ１０３で“ＮＯ”）、制御部１５は、得られた物性計測値から密度を算出する（ステップＳ１０４）。制御部１５は、画像形成の動作設定にそれぞれ応じて定められている坪量の分類区分を特定する（ステップＳ１０５）。制御部１５は、画像形成の動作設定にそれぞれ応じて定められている紙種の分類を特定する（ステップＳ１０６）。それから、制御部１５の処理は、ステップＳ１０７に移行する。ステップＳ１０１の処理からこのステップＳ１０６までの処理が本実施形態の画像形成動作設定方法における特定ステップに対応する。
【００６１】
ステップＳ１０７の処理に移行すると、制御部１５は、画像形成の動作設定のいずれかに応じた設定候補の表示を行わせる（ステップＳ１０７；候補出力ステップ）。ステップＳ１０５、Ｓ１０６の処理がなされている場合には、制御部１５は、特定された坪量の区分及び紙種の分類を表示させる。坪量に応じた動作設定には、許容範囲があるので、坪量の区分が複数選択される場合があり得る。また、紙種の分類に対応する物性計測値には、重複部分があり得るので、複数の紙種の分類が選択される場合があり得る。ステップＳ１１１の処理がなされた場合には、制御部１５は、選択したメディアの種別を候補として直接表示させる。
【００６２】
制御部１５は、選択操作があったか否かを判別する（ステップＳ１０８）。制御部１５は、用紙種類候補表示画面Ｂ１においていずれかの行が選択操作され、用紙トレイ選択画面Ｂ２において、画像形成設定が適用されるトレイが選択操作され、その後、動作選択ボタン表示画面Ｂ３において「ＯＫ」ボタンが選択操作されたか否かを判別する。これらの操作のうち少なくともいずれかがなされていないと判別された場合には（ステップＳ１０８で“ＮＯ”）、制御部１５は、ステップＳ１０８の処理を繰り返す。
【００６３】
上記全ての操作がなされたと判別された場合には（ステップＳ１０８で“ＹＥＳ”）、制御部１５は、用紙種類候補表示画面Ｂ１で選択された行に対応する画像形成の動作設定を、用紙トレイ選択画面Ｂ２で選択されたトレイに対して行う（ステップＳ１０９）。そして、制御部１５は、メディア設定処理を終了する。
【００６４】
［変形例］
図６は、表示部４３に表示されるメディアの選択画面の他の例を示す図である。
ここでは、表示部４３には、図６（ａ）に示すように、上記のように特定された坪量の区分及びメディアの種類の組み合わせによる用紙種類の候補が表示されるのに加えて、「ユーザープロファイル」又は「出荷時プロファイル」のタブを選択操作することで、当該選択操作に応じた命令（要求）に応じて特定された坪量の区分及びメディアの種類の組み合わせに対応するメディアの具体的な銘柄を直接表示させるように切り替えることが可能（出力可能）である。
【００６５】
例えば、出荷時プロファイルを選択操作すると、図６（ｂ）に示すように、出荷時に予め記憶部１７のメディア種別情報１７２に登録されているメディアの銘柄のうち、特定された坪量の区分及びメディア種別（用紙種類）の組み合わせに対応する銘柄が選択されて銘柄名が各行に表示される。表示の順番は、上記組み合わせの表示順と同様に、坪量及びメディア種別との適合の度合が高いものから定められてよい。この表示順は、銘柄名や用紙種類など他の項目を基準として並べ替えが可能であってもよい。
【００６６】
この場合には、記憶部１７のメディア種別情報１７２には、さらに、種々の銘柄名とその銘柄に係るメディアの特性（メディア種別及び坪量）とが対応付けて記憶保持されている。この対応関係には、ここでは、予め出荷時に設定されている「出荷時プロファイル」と、画像形成装置１の使用開始後にユーザーなどが手動で登録、記憶させた「ユーザープロファイル」とが含まれる。これらは、それぞれ上述のタブに対応している。
【００６７】
ユーザーが銘柄を把握している場合には、坪量と用紙種類に基づいて絞り込まれる銘柄数が設定対象の銘柄を含めて十分に少なくなるので、ユーザーは、容易かつ迅速に所望の銘柄を発見して設定することができる。また、銘柄を具体的に知らない場合であっても、メーカーのみを把握している場合や、既知の銘柄に合わせて設定したい場合などには、基準以上の画質が得られる銘柄が既に選択及び表示されているので、ユーザーは、好みに応じて適宜な銘柄を容易に選択することができる。
【００６８】
「ユーザープロファイル」又は「出荷時プロファイル」のタブが選択されて銘柄の表示が行われている状態で「検出結果」のタブが選択操作されると、当該選択操作に係る命令（要求）に応じて元の特定された坪量及びメディア種別の組み合わせの表示に切り替えられる。
【００６９】
図７は、図６に示した変形例の選択画面に応じたメディア選択処理の制御部１５による制御手順を示すフローチャートである。
このメディア選択処理は、図５に示したメディア選択処理のステップＳ１０８の処理がステップＳ１０８ａの処理に置換され、また、ステップＳ１２１〜Ｓ１２４の処理が追加されている。その他の処理は、同一であり、同一の処理内容には同一の符号を付して詳しい説明を省略する。
【００７０】
ステップＳ１０７の処理で表示部４３に設定候補を表示した後、制御部１５は、入力操作があったか否かを判別する（ステップＳ１０８ａ）。入力操作がないと判別された場合には（ステップＳ１０８ａで“ＮＯ”）、制御部１５は、ステップＳ１０８ａの処理を繰り返す。
【００７１】
入力操作があったと判別された場合には（ステップＳ１０８ａで“ＹＥＳ”）、制御部１５は、操作内容が銘柄の表示要求であったか否かを判別する（ステップＳ１２１）。銘柄の表示要求であったと判別された場合には（ステップＳ１２１で“ＹＥＳ”）、制御部１５は、記憶部１７のメディア種別情報１７２を参照して、特定されている紙種の分類及び坪量の区分に該当する銘柄名を検出する（ステップＳ１２２）。制御部１５は、検出された銘柄名を設定候補として表示部４３（用紙種類候補表示画面Ｂ１）に表示させる（ステップＳ１２３）。それから、制御部１５の処理は、ステップＳ１０８ａに戻る。
【００７２】
操作内容が銘柄表示要求ではないと判別された場合には（ステップＳ１２１で“ＮＯ”）、制御部１５は、操作内容が物性表示の要求であるかいなかを判別する（ステップＳ１２４）。物性表示の要求、すなわち、銘柄名の表示から坪量区分と紙種の分類の表示に戻す要求であると判別された場合には（ステップＳ１２４で“ＹＥＳ”）、制御部１５の処理は、ステップＳ１０７に戻る。
【００７３】
操作内容が物性表示の要求ではないと判別された場合には（ステップＳ１２４で“ＮＯ”）、ここでは、すなわち、メディアの選択操作であると判別されて、制御部１５の処理は、ステップＳ１０９に移行する。
【００７４】
以上のように、本実施形態の画像形成装置１（設定判別装置）は、メディアＭの物性を計測する物性計測部１３と、制御部１５と、を備える。制御部１５は、物性計測部１３による計測結果に基づいて、坪量及びメディアＭの種別の組み合わせを特定し、当該組み合わせを画像形成の動作設定に係るメディアの設定候補として出力する。
このように、坪量とメディア種別との組み合わせにより画像形成の動作設定を行うことを可能とすることで、多数の特性を取得して厳密な評価を行わなくても通常必要な画質を得ることが可能な動作設定を容易に行うことが可能となる。また、ユーザーも、未知の銘柄に対応する特性を容易に取得して、画像形成装置に適正な動作設定を行わせて必要な画質の画像を得ることができる。また、テスト画像を形成せずに設定されるので、テスト画像の形成やその結果の判別といった手間や技術が不要となり、より容易かつ迅速に適切な画質の画像での通常の画像形成を開始することができる。また、これにより、インクやトナーなどの色材やメディアの消費を低減させることができる。また、新たな銘柄のメディアが市場に流通した場合に毎回当該銘柄についての設定を細かく行う必要がなく、手間が軽減される。
【００７５】
また、制御部１５は、メディアＭの種別として、少なくとも塗工紙及び非塗工紙に分類する。これらのメディア種別の間では、色材の定着や発色などが大きく異なるので、最低限別個の種別として分類することで、容易な分類でも画質を大きく低下させない。
【００７６】
また、制御部１５は、物性計測部１３による計測結果と、異なる動作設定にそれぞれ応じた坪量及びメディアの種別との適合の度合を算出し、算出された度合が所定の基準を満たす坪量とメディア種別の組み合わせを設定候補として出力する。
すなわち、特性の計測結果に基づく数値処理により適正な組み合わせの度合を定量評価するので、容易に最適な候補を選択することができる。また、ユーザーも、動作設定の選択に専門知識などを必要としないので、手間、知識及び経験を必要とせずに適切な画像の形成が可能な動作設定を行わせることができる。
【００７７】
また、制御部１５は、設定候補に係る特性及びメディア種別と、計測結果に基づいて得られた特性及びメディアとの合致の度合が高い順に設定候補として出力、表示させる。よって、ユーザーは、特に他の知識があって積極的に選びたい動作設定がない限り、容易に最も合致の度合が高い設定候補を選択することができる。よって、特別な知識がなくても、各種のメディアに対して容易な処理と簡易な手間で迅速に適切な動作設定を行うことができる。
【００７８】
また、制御部１５は、設定候補として塗工紙及び非塗工紙のいずれもが出力される場合に、塗工紙を優先した順番で出力する。特性の計測によりもし塗工紙と非塗工紙との間での判別が難しい場合には、塗工紙に優先的に設定されるように設定候補の出力、表示を行わせるので、より安定して画質を低下させず維持する。また、後処理においてステイプル処理がなされる場合に、塗工紙の方が非塗工紙よりも針が通りにくく、上限枚数が小さくなる。塗工紙に優先して設定することで、後処理での失敗が低減されるので、すなわち、本画像形成装置１では、画像形成動作だけではなく、後処理動作にとってもより好ましい設定が得られる。
【００７９】
また、物性計測部１３は、メディアＭの表面の平滑度、密度、透気度、摩擦係数、白色度、剛度及び電気抵抗のうち少なくとも２つを計測する。坪量の取得及びメディアの種別の判別には、多様な計測方法が用いられ得るが、これら代表的な方法のうち２種類以上を組み合わせることで、特殊な構成を用いずに容易かつ精度よく坪量とメディアの種別の組み合わせ候補が得られる。よって、ユーザーは容易に最適又は最適に近い動作設定を選択して画像形成装置１に良好な画質での画像形成動作を行わせることができる。
【００８０】
また、画像形成装置１（設定判別装置）は、表示部４３を備える。制御部１５は、表示部４３に対して設定候補を出力して表示させる。すなわち、画像形成装置１で直接設定候補のリストを表示させることができるので、ユーザーがその場で容易に適切な動作設定を知得、判断することができる。
【００８１】
また、画像形成装置１（設定判別装置）は、操作受付部４２を備える。制御部１５は、表示部４３に表示された設定候補のうちいずれかを選択する入力操作を操作受付部４２により受け付けて、選択された設定候補に係る動作設定を行う。このように、画像形成装置１自体で当該画像形成装置１での画像形成動作に係る動作設定を容易かつ適正に行うことができるので、ユーザーは、データのやり取りなどを考慮せずに簡便に適切な動作設定を選択して、当該動作設定に応じた適正な画質の画像形成を行わせることができる。
【００８２】
また、制御部１５は、物性計測部１３の計測結果が所定の条件を満たす場合には、当該条件に対応する特定のメディアを設定候補として出力する。すなわち、通常用いられるメディア（主に紙媒体）とは大きく特性の異なるメディアを用いる場合には、上記のようにメディア種別及び坪量の区分の組み合わせによって動作設定に係る設定候補を示すのではなく、直接具体的なメディアを出力することができる。
【００８３】
また、画像形成装置１（設定判別装置）は、メディアの銘柄名と、当該銘柄名に係るメディアの坪量及び種別の情報とを対応付けて記憶する記憶部１７（メディア種別情報１７２）を備える。制御部１５は、特定されたメディア種別及び坪量の組み合わせに対応する銘柄名を画像形成の動作設定に係る設定候補として出力可能である。
すなわち、画像形成装置１では、メディア種別及び坪量により必要な画質が得られる範囲まで設定候補を絞った上で、銘柄名の表示に変更することもできる。これにより、例えば、銘柄が既知の場合や、メディアのメーカー（供給元）のみが既知の場合などに、容易に適切な動作設定を選択することが可能となる。また、メディアが未知であっても、単純にユーザーになじみがあるメーカーの動作設定で必要な画質が得られるので、当該ユーザーの好みで容易に適切な動作設定を行うことができる。
【００８４】
また、制御部１５は、物性計測部１３による計測結果に基づいて特定された坪量及びメディアの種別と、設定候補とされる銘柄名のメディアの坪量及びメディアの種別との適合の度合を算出し、度合の高い順に銘柄名を出力する。すなわち、上記の坪量とメディア種別の組み合わせによる設定候補の出力の場合と同様に、銘柄名を出力する場合でも客観的に合致の度合が高いものから設定候補として出力されるので、例えば、メーカーのみが既知であるなど、予め保持している知識では複数の銘柄のいずれが正しいか判別が難しい場合などには、優先度順で容易に選択設定が可能となる。また、既知の銘柄のメディアを利用する場合でも、当該銘柄が通常であれば最上位付近に来ることになるので、より容易に当該銘柄を見つけて動作設定を行うことが可能になる。
【００８５】
また、制御部１５は、操作受付部４２により受け付けられた要求に応じて、設定候補の表示を組み合わせの表示と銘柄名の表示との間で切り替える。すなわち、ユーザーの要求によって上記の組み合わせ表示と銘柄名の表示とを切り替え可能であるので、画像形成対象のメディアによって好ましいほうに切り替えて、より容易かつ適切にメディアを選択して動作設定を行うことができる。
【００８６】
また、本実施形態の画像形成装置１は、上述の設定判別装置としての構成と、メディアに対して画像形成を行う画像形成動作部１４と、を備える。よって、この画像形成装置１では、計測結果に基づいて得られる坪量とメディア種別とにより、容易に適切な画質が得られる動作設定を行って、画像を形成することができる。
【００８７】
また、本実施形態の画像形成動作設定方法は、物性計測部１３による計測結果に基づいて、坪量及びメディアの種別の組み合わせを特定する特定ステップ（ステップＳ１０１〜Ｓ１０６に対応）と、特定された当該組み合わせを画像形成の動作設定に係るメディアの設定候補として出力する候補出力ステップ（ステップＳ１０７に対応）と、を含む。この画像形成動作設定方法によれば、少ない特性で十分な画質が得られる動作設定を容易に行うことができる。テスト画像の形成を必要としないので、時間、色材やメディアを浪費しない。また、ユーザーがメディアと画像形成装置１について特別な知識や経験を有さずとも、容易かつ簡便に、画像形成装置１により適正な画像を形成させることができる。
【００８８】
なお、本発明は、上記実施の形態に限られるものではなく、様々な変更が可能である。
例えば、上記実施の形態では、物性計測部１３などが画像形成装置１の内部に設けられて、画像形成動作に係る通常のメディア搬送経路上でメディアの計測を行うものとして説明し、また、メディアの計測が画像形成装置１の外部で行われてもよい旨示したが、この場合、メディア種別情報１７２や動作設定の判別に係る制御部が外部に併せて設けられてもよく、すなわち、設定判別装置として画像形成装置１から完全に独立して動作が可能な構成であってもよい。
【００８９】
また、上記実施の形態では、表示部４３に設定候補を出力して表示させ、操作受付部４２が選択に係る入力操作を受け付けるものとして説明したが、外部機器に対して設定候補の情報を出力し、当該外部機器のディスプレイなどに表示させ、また、当該外部機器からの入力信号に基づいて選択がなされてもよい。
【００９０】
また、上記実施の形態では、適合の度合を数値化して当該適合の度合の高い順に設定候補を表示させることとしたが、初期表示では必ずしも度合の高い順での表示としないこととしてもよい。また、この表示順にかかわらず、適合の度合の値を各々明示させることとしてもよい。
【００９１】
また、画像形成動作部１４は、インクやトナーを用いたカラー画像を形成するものに限られない。例えば、白黒画像のみを出力可能なものであってもよい。また、上記実施の形態では主なメディアとして紙媒体を例に挙げて説明し、その他の材質のメディアを例外設定メディアとして取り扱うこととしたが、樹脂や布帛などが主たるメディアである場合には、通常では、これらの媒体の判別が可能に定められてもよい。
その他、上記実施の形態で示した構成及びその配置、並びに処理内容及びその手順などの具体的な細部は、本発明の趣旨を逸脱しない範囲において適宜変更可能である。
【符号の説明】
【００９２】
１     画像形成装置
１１   メディア供給部
１２   メディア検出部
１３   物性計測部
１３ａ 坪量検知部
１３ｂ 紙厚検知部
１３ｃ 表面検知部
１４   画像形成動作部
１５   制御部
１６   搬送部
１６ａ 搬送駆動部
１７   記憶部
１７１ プログラム
１７２ メディア種別情報
１７３ 画像形成設定情報
１８   排出トレイ
４１   通信部
４２   操作受付部
４３   表示部
Ｂ１   用紙種類候補表示画面
Ｂ２   用紙トレイ選択画面
Ｂ３   動作選択ボタン表示画面
【図１】
2020097170.tif 000003
【図２】
2020097170.tif 000004
【図３】
2020097170.tif 000005
【図４】
2020097170.tif 000006
【図５】
2020097170.tif 000007
【図６】
2020097170.tif 000008
【図７】
2020097170.tif 000009
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
メディアの物性を計測する計測部と、
制御部と、
を備え、
前記制御部は、前記計測部による計測結果に基づいて、坪量及び前記メディアの種別の組み合わせを特定し、当該組み合わせを画像形成の動作設定に係るメディアの設定候補として出力する
ことを特徴とする設定判別装置。
【請求項２】
前記制御部は、前記メディアの種別として、少なくとも塗工紙及び非塗工紙に分類することを特徴とする請求項１記載の設定判別装置。
【請求項３】
前記制御部は、前記計測結果と、異なる動作設定にそれぞれ応じた前記坪量及び前記メディアの種別との適合の度合を算出し、算出された前記度合が所定の基準を満たす前記組み合わせを前記設定候補として出力することを特徴とする請求項１又は２記載の設定判別装置。
【請求項４】
前記制御部は、前記度合が高い順に前記設定候補として出力することを特徴とする請求項３記載の設定判別装置。
【請求項５】
前記制御部は、前記設定候補として塗工紙及び非塗工紙のいずれもが出力される場合に、塗工紙を優先した順番で出力することを特徴とする請求項１〜４のいずれか一項に記載の設定判別装置。
【請求項６】
前記計測部は、前記メディアの表面の平滑度、密度、透気度、摩擦係数、白色度、剛度及び電気抵抗のうち少なくとも２つを計測することを特徴とする請求項１〜５のいずれか一項に記載の設定判別装置。
【請求項７】
表示部を備え、
前記制御部は、前記表示部に対して前記設定候補を出力して表示させることを特徴とする請求項１〜６のいずれか一項に記載の設定判別装置。
【請求項８】
操作受付部を備え、
前記制御部は、前記表示部に表示された前記設定候補のうちいずれかを選択する入力操作を前記操作受付部により受け付けて、選択された前記設定候補に係る前記動作設定を行うことを特徴とする請求項７記載の設定判別装置。
【請求項９】
前記制御部は、前記計測部の計測結果が所定の条件を満たす場合には、当該条件に対応する特定のメディアを前記設定候補として出力することを特徴とする請求項１〜８のいずれか一項に記載の設定判別装置。
【請求項１０】
メディアの銘柄名と、当該銘柄名に係るメディアの坪量及び種別の情報とを対応付けて記憶する記憶部を備え、
前記制御部は、特定された前記組み合わせに対応する前記銘柄名を前記設定候補として出力可能であることを特徴とする請求項１〜９のいずれか一項に記載の設定判別装置。
【請求項１１】
前記制御部は、前記計測結果に基づいて特定された前記坪量及び前記メディアの種別と、前記設定候補とされる前記銘柄名のメディアの坪量及び前記メディアの種別との適合の度合を算出し、当該度合の高い順に前記銘柄名を出力することを特徴とする請求項１０記載の設定判別装置。
【請求項１２】
操作受付部を備え、
前記制御部は、前記操作受付部により受け付けられた要求に応じて、前記設定候補の表示を前記組み合わせの表示と前記銘柄名の表示との間で切り替えることを特徴とする請求項１０又は１１記載の設定判別装置。
【請求項１３】
前記記憶部に対応付けて記憶されるメディアの銘柄と、当該メディアの坪量及び種別の情報とは、当該設定判別装置の出荷時に記憶されていることを特徴とする請求項１０〜１２のいずれか一項に記載の設定判別装置。
【請求項１４】
操作受付部を備え、
前記記憶部に対応付けて記憶されるメディアの銘柄と、当該メディアの坪量及び種別の情報とは、前記操作受付部により受け付けられた、当該設定判別装置を使用するユーザーの入力操作に応じて記憶されることを特徴とする請求項１０〜１３のいずれか一項に記載の設定判別装置。
【請求項１５】
請求項１〜１４のいずれか一項に記載の設定判別装置と、
メディアに対して画像形成を行う画像形成動作部と、
を備えることを特徴とする画像形成装置。
【請求項１６】
メディアの物性を計測する計測部を備える設定判別装置の画像形成動作設定方法であって、
前記計測部による計測結果に基づいて、坪量及び前記メディアの種別の組み合わせを特定する特定ステップと、
特定された当該組み合わせを画像形成の動作設定に係るメディアの設定候補として出力する候補出力ステップと、
を含むことを特徴とする画像形成動作設定方法。
【手続補正２】
【補正対象書類名】明細書
【補正対象項目名】００１８
【補正方法】変更
【補正の内容】
【００１８】
また、請求項１２記載の発明は、請求項１０又は１１記載の設定判別装置において、
操作受付部を備え、
前記制御部は、前記操作受付部により受け付けられた要求に応じて、前記設定候補の表示を前記組み合わせの表示と前記銘柄名の表示との間で切り替えることを特徴とする。
また、請求項１３記載の発明は、請求項１０〜１２のいずれか一項に記載の設定判別装置において、
前記記憶部に対応付けて記憶されるメディアの銘柄と、当該メディアの坪量及び種別の情報とは、当該設定判別装置の出荷時に記憶されていることを特徴とする。
また、請求項１４記載の発明は、請求項１０〜１３のいずれか一項に記載の設定判別装置において、
操作受付部を備え、
前記記憶部に対応付けて記憶されるメディアの銘柄と、当該メディアの坪量及び種別の情報とは、前記操作受付部により受け付けられた、当該設定判別装置を使用するユーザーの入力操作に応じて記憶されることを特徴とする。
【手続補正３】
【補正対象書類名】明細書
【補正対象項目名】００１９
【補正方法】変更
【補正の内容】
【００１９】
また、請求項１５記載の発明は、
請求項１〜１４のいずれか一項に記載の設定判別装置と、
メディアに対して画像形成を行う画像形成動作部と、
を備えることを特徴とする画像形成装置である。
【手続補正４】
【補正対象書類名】明細書
【補正対象項目名】００２０
【補正方法】変更
【補正の内容】
【００２０】
また、請求項１６記載の発明は、
メディアの物性を計測する計測部を備える設定判別装置の画像形成動作設定方法であって、
前記計測部による計測結果に基づいて、坪量及び前記メディアの種別の組み合わせを特定する特定ステップと、
特定された当該組み合わせを画像形成の動作設定に係るメディアの設定候補として出力する候補出力ステップと、
を含むことを特徴とする画像形成動作設定方法である。